(57)【要約】【課題】  車両からの料金精算装置において、操作盤が備える精算用開口にカバーを設けるに際し、利用者が車両に乗ったままでも片手で使用できるようにして使用性の向上を図ること。【解決手段】  ドライブスルー式の洗車場に設置され、利用者が車両に乗ったままカード等を出し入れするための精算用開口２７を操作盤３０に備えてなる車両からの料金精算装置１３において、精算用開口２７のためのカバー３０を操作盤２０に開閉可能に設け、ばね力を用いた強制ロック機構部３３、３４によりカバー３０が開き位置で静止可能とされ、且つ利用者の片手で開閉操作可能とされてなるもの。【選択図】  図３
2008152804.tif 000002
【特許請求の範囲】
【請求項１】
ドライブスルー式の洗車場に設置され、利用者が車両に乗ったままカード等を出し入れするための精算用開口を操作盤に備えてなる車両からの料金精算装置において、
精算用開口のためのカバーを操作盤に開閉可能に設け、ばね力を用いた強制ロック機構部によりカバーが開き位置で静止可能とされ、且つ利用者の片手で開閉操作可能とされてなることを特徴とする車両からの料金精算装置。
【請求項２】
前記カバーが上向き回転して精算用開口を開放可能とする請求項１に記載の車両からの料金精算装置。
【請求項３】
前記カバーが下向き回転して精算用開口を開放可能とする請求項１に記載の車両からの料金精算装置。
【請求項４】
前記強制ロック機構部がカバーを開き位置と閉じ位置の双方のそれぞれで静止可能とする請求項１〜３のいずれかに記載の車両からの料金精算装置。
【発明の詳細な説明】
【技術分野】
【０００１】
本発明は、ドライブスルー式の洗車場の入口、駐車場の入口、自動販売機等に設置されて好適な車両からの料金精算装置に関する。
【背景技術】
【０００２】
ドライブスルー式の洗車場の入口では、特許文献１に記載の如く、利用者が車両に乗ったまま料金を精算する、車両からの料金精算装置を構成するため、紙幣投入口、コイン投入口、プリペイドカード投入口、釣銭取出口、領収書取出口等の精算用開口を備えた操作盤を、車両通路の側傍に設置している。
【特許文献１】特開平9-48330
【発明の開示】
【発明が解決しようとする課題】
【０００３】
料金精算装置は、車両通路の側傍に上述の操作盤を立設するものであり、紙幣投入口等の精算用開口に塵埃、雨水等の異物が入り易く、これが故障の原因になり易いから、精算用開口を外界に対し被覆するためのカバーを操作盤に開閉可能に設けることが考えられる。
【０００４】
しかしながら、カバーを操作盤に単に開閉可能に設けた場合には、利用者たる車両の運転者は、車両に乗ったまま片手でカバーを開き位置に保持しながら、もう一方の片手でカード等の投入や釣銭の取出しを行なう必要があるから、車両の窓から大きく身を乗り出す必要があり、使用性が悪い。
【０００５】
本発明の課題は、車両からの料金精算装置において、操作盤が備える精算用開口にカバーを設けるに際し、利用者が車両に乗ったままでも片手で使用できるようにして使用性の向上を図ることにある。
【課題を解決するための手段】
【０００６】
請求項１の発明は、ドライブスルー式の洗車場に設置され、利用者が車両に乗ったままカード等を出し入れするための精算用開口を操作盤に備えてなる車両からの料金精算装置において、精算用開口のためのカバーを操作盤に開閉可能に設け、ばね力を用いた強制ロック機構部によりカバーが開き位置で静止可能とされ、且つ利用者の片手で開閉操作可能とされてなるようにしたものである。
【０００７】
請求項２の発明は、請求項１の発明において更に、前記カバーが上向き回転して精算用開口を開放可能とするようにしたものである。
【０００８】
請求項３の発明は、請求項１の発明において更に、前記カバーが下向き回転して精算用開口を開放可能とするようにしたものである。
【０００９】
請求項４の発明は、請求項１〜３のいずれかの発明において更に、前記強制ロック機構部がカバーを開き位置と閉じ位置の双方のそれぞれで静止可能とするようにしたものである。
【００１０】
【００１１】
【００１２】
【００１３】
【００１４】
【発明を実施するための最良の形態】
【００１５】
図１は洗車場を示す模式図、図２は料金精算装置を示す正面図、図３は第１実施形態のカバーを示す模式図、図４は第２実施形態のカバーを示す模式図である。
【実施例】
【００１６】
図１はドライブスルー式の洗車場１０を示し、門型洗車機１１をレール１２に沿って往復走行可能とし、洗車機１１の走行範囲で該洗車機１１に囲まれる領域を洗車作業領域とし、車両を洗車作業領域の前方の入口から進入させて洗車作業領域に位置付け、洗車作業領域で洗車機１１により洗車せしめられた車両を洗車作業領域の後方の出口から退場させるものである。
【００１７】
洗車場１０では、洗車作業領域の入口に料金精算装置１３、遮断機１４を、洗車作業領域に停止位置案内表示板１５、フットスイッチ１６を、洗車作業領域の出口に退場案内表示灯１７を設置してある。これにより、洗車利用者が車両に乗ったまま洗車作業領域の入口に乗り入れ、料金精算装置１３によって料金投入と洗車内容の選択入力を行なうと、遮断機１４が開き、車両を洗車作業領域に位置付けるものとなる。利用者が停止位置案内表示板１５を見ながら右車輪をフットスイッチ１６に納めると、フットスイッチ１６の車両停車検出信号により、洗車機１１が走行して洗車を開始する。洗車が終了すると、退場案内表示灯１７が点灯して退場を促すので、利用者は車両を前進させて洗車作業領域の出口から退場するものとなる。
【００１８】
ここで、料金精算装置１３は、図２に示す如く、利用者が車両に乗ったまま操作できる操作盤２０に洗車操作パネル２１を備える他、紙幣投入口２２、コイン投入口２３、プリペイドカード投入口２４、釣銭取出口２５、領収書取出口２６等の精算用開口２７を備える。即ち、料金精算装置１３は、利用者が洗車操作パネル２１を用いて洗車内容の選択入力を行なうに先立ち、紙幣投入口２２等の精算用開口２７を用いて洗車内容に見合う料金を精算可能とするものである。
【００１９】
しかるに、本実施形態では、紙幣投入口２２、コイン投入口２３、プリペイドカード投入口２４、釣銭取出口２５、領収書取出口２６等の精算用開口２７のためのカバー３０（３０Ａ〜３０Ｃ）を操作盤２０に開閉可能に設け、カバー３０を開き位置と閉じ位置のそれぞれで静止可能とし、且つ開き位置と閉じ位置の間では利用者の片手で開閉操作可能とする。カバー３０は、本実施形態では、同一横線上に相隣る紙幣投入口２２、コイン投入口２３、プリペイドカード投入口２４を単一のカバー３０Ａにより、釣銭取出口２５と領収書取出口２６のそれぞれをカバー３０Ｂ、３０Ｃのそれぞれにより被覆可能としている。
【００２０】
以下、カバー３０の具体的構造について説明する。
（第１実施形態）（図３）
第１実施形態は、図３に示す如く、カバー３０を矩形正面の四周に側面を備えた透明プラスチック成形体からなるものとし、カバー３０の上端部に設けた取付板３１を操作盤２０に固定したステー３２に枢軸３３を介して支持し、カバー３０を枢軸３３のまわりで上向き回転して紙幣投入口２２等の精算用開口２７を開放可能としている。
【００２１】
そして、カバー３０を開き位置で、該カバー３０を保持して静止するための強制ロック機構部３４を備える。強制ロック機構部３４は、ステー３２にボールプランジャ３５（ステー３２にナット締めされるケース３５Ａにくわえ込まれたボール３５Ｂを圧縮ばね３５Ｃでバックアップしたもの）を設けるとともに、取付板３１に係合孔３６を設け、カバー３０の開き位置でボールプランジャ３５を取付板３１の係合孔３６に係脱可能としたものである。
【００２２】
第１実施形態のカバー３０によれば、以下の作用がある。料金精算装置１３のカバー３０が利用者の片手で上向き回転されて開き位置に位置付けられた後、強制ロック機構部３４のボールプランジャ３５がカバー３０に設けた取付板３１の係合孔３６に係合して該カバー３０をその開き位置に保持し、該カバー３０を重力による閉じ方向外力に対して確実に静止せしめる。従って、利用者はカバー３０を開いた後、カバー３０から手を離し、その手でカード等の投入や釣銭等の取出しを行なうことができる。よって、この料金精算装置１３は、利用者が車両に乗ったままでも片手で使用でき、使用性を向上できる。
【００２３】
尚、カバー３０は、利用者が片手で開き位置から閉じ位置に向けて下向き回転することにより強制ロック機構部３４を解除し、閉じ位置では強制ロック機構部３４のボールプランジャ３５がカバー３０に設けた取付板３１の側面に圧接して該カバー３０を閉じ位置に静止せしめる。
【００２４】
（第２実施形態）（図４）
第２実施形態は、図４に示す如く、カバー３０に代わるカバー４０を矩形正面の四周に側面を備えた透明プラスチック成形体からなるものとし、カバー４０の下端部に設けた取付板４１を操作盤２０に固定したステー４２に枢軸４３を介して支持し、カバー４０を枢軸４３のまわりで下向き回転して紙幣投入口２２等の精算用開口２７を開放可能としている。
【００２５】
そして、カバー４０は閉じ位置で、該カバー４０を保持して静止するための強制ロック機構部４４を備える。強制ロック機構部４４は、カバー３０のボールプランジャ３５と同様のボールプランジャ４５をステー４２に設けるとともに、取付板４１に係合孔４６を設け、カバー４０の閉じ位置でボールプランジャ４５を取付板４１の係合孔４６に係脱可能としたものである。
【００２６】
第２実施形態のカバー４０によれば、以下の作用がある。
(a)料金精算装置１３のカバー４０を利用者の片手で閉じ位置から開き位置に向けて下向き回転すると、強制ロック機構部４４が解除し、カバー４０は開き位置で強制ロック機構部４４のボールプランジャ４５がカバー４０に設けた取付板４１の側面に圧接して該カバー４０を開き位置に静止せしめる。従って、利用者はカバー４０を開いた後、カバー４０から手を離し、その手でカード等の投入や釣銭等の取出しを行なうことができる。よって、この料金精算装置１３は、利用者が車両に乗ったままでも片手で使用でき、使用性を向上できる。
【００２７】
尚、カバー４０は、利用者が片手で開き位置から閉じ位置にまで上向き回転すると、強制ロック機構部４４によりその閉じ位置に保持され、重力による開き方向外力に対して確実に静止せしめられる。
【００２８】
(b)料金精算装置１３の使用時に、カバー４０が精算用開口２７の下方で開き状態にあり、精算用開口２７の下方から外方に張り出るトレイ状をなすものとすることができるから、精算用開口２７から外方にカードや釣銭等が脱落することがあっても、これらのカードや釣銭等はこのカバー４０により確実に受け止められ、利用者によりこのカバー４０から容易に回収できる。
【００２９】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の強制ロック機構部は、ボールプランジャに限らず、カバーを摩擦力で制動する等の各種ロック機構部を採用できる。
【００３０】
また、本発明の料金精算装置では、カバーを水平回転して精算用開口を開閉可能とするものであっても良い。
【００３１】
尚、本発明の料金精算装置において、精算用開口は商品取出口等も含む。
【００３２】
以上のように本発明によれば、車両からの料金精算装置において、操作盤が備える精算用開口にカバーを設けるに際し、利用者が車両に乗ったままでも片手で使用できるようにして使用性の向上を図ることができる。
【図面の簡単な説明】
【００３３】
【図１】図１は洗車場を示す模式図である。
【図２】図２は料金精算装置を示す正面図である。
【図３】図３は第１実施形態のカバーを示す模式図である。
【図４】図４は第２実施形態のカバーを示す模式図である。
【符号の説明】
【００３４】
１３  料金精算装置
２０  操作盤
２７  精算用開口
３０、４０  カバー
３４、４４  強制ロック機構部
【図１】
2008152804.tif 000003
【図２】
2008152804.tif 000004
【図３】
2008152804.tif 000005
【図４】
2008152804.tif 000006